(57)【要約】【課題】重量の増加やサイズの増加を押えたことによって、携帯電話等の機器への搭載が容易になるアンテナを提供する。【解決手段】グランド導体３と、第１の導電性素子５と、第１の導電性素子５に接続されている第２の導電性素子７と、グランド導体３と第１の導電性素子５とをお互いに接続している短絡用導体９と、グランド導体３と第１の導電性素子５とに設けられた給電部１１Ａ、１１Ｂとを有し、第１の導電性素子５、第２の導電性素子７の少なくともいずれかは、メアンダ状に形成されている【選択図】図１
2008187447.tif 000002
【特許請求の範囲】
【請求項１】
グランド導体と；
第１の導電性素子と；
前記第１の導電性素子に接続されている第２の導電性素子と；
前記グランド導体と前記第１の導電性素子とをお互いに接続している短絡用導体と；
前記グランド導体と前記第１の導電性素子とに設けられた給電部と；
を有し、前記第１の導電性素子、前記第２の導電性素子の少なくともいずれかは、メアンダ状に形成されていることを特徴とするアンテナ。
【請求項２】
グランド導体と；
第１の導電性素子と；
前記第１の導電性素子に接続されている第２の導電性素子と；
前記グランド導体と前記第１の導電性素子とをお互いに接続している短絡用導体と；
前記グランド導体と前記第１の導電性素子とに設けられた給電部と；
を有し、機器に設置された場合、三次元的に配置されるように構成されていることを特徴とするアンテナ。
【請求項３】
グランド導体と；
第１の導電性素子と；
前記第１の導電性素子に接続されている第２の導電性素子と；
前記グランド導体と前記第１の導電性素子とをお互いに接続している短絡用導体と；
前記グランド導体と前記第１の導電性素子とに設けられた給電部と；
を有し、前記第１の導電性素子、前記第２の導電性素子の少なくともいずれかは、メアンダ状に形成されており、機器に設置された場合、三次元的に配置されるように構成されていることを特徴とするアンテナ。
【請求項４】
請求項１〜請求項３のいずれか１項に記載のアンテナにおいて、
前記第１の導電性素子で、基本モードと高次モードとの制御を行なうと共に、前記第２の導電性素子で前記高次モードの調整を行なっている構成であることを特徴とするアンテナ。
【請求項５】
請求項１〜請求項４のいずれか１項に記載のアンテナにおいて、
前記短絡用導体は、前記給電部に接続されるケーブルの導体によって構成されていることを特徴とするアンテナ。
【請求項６】
絶縁性の材料で薄い板状に形成された基材と；
前記基材の厚さ方向の一方の面で、前記基材に一体的に薄く設けられた第１のメアンダ状アーム部と；
一端部が前記第１のメアンダ状アーム部の一端部側の部位に接続するようにして、前記基材の厚さ方向の前記一方の面で、前記基材に一体的に薄く設けられた第２のメアンダ状アーム部と；
薄い導電性部材で構成された地板と；
前記第１のメアンダ状アーム部の一端部側の部位に中心導体が接続しており、前記第１のメアンダ状アーム部の前記一端部側の部位であって前記中心導体が接続している部位とは離れた部位に外部導体が接続していると共に、前記外部導体が前記地板に接続している同軸ケーブルと；
を有し、前記各メアンダ状アーム部と前記同軸ケーブルとが設けられた状態においても、前記基材はフレキシブルになっていることを特徴とする携帯電話用２共振アンテナ。
【請求項７】
絶縁性の材料からなり長方形状で薄い板状に形成された第１の部位と、前記第１の部位と同材料で同形状に形成され、２つの長辺のうちの一方の辺の全長が、前記第１の部位の２つの長辺のうちの一方の辺の全長に接続するようにして前記第１の部位と一体的に形成された第２の部位と、前記第１の部位と同じ材料からなり１辺の長さが前記第１の部位の短辺の長さと等しい正方形状でまた前記第１の部位と同じ厚さで薄い板状に形成され、１つの辺の全長が、前記第１の部位の２つの短辺のうちの一方の辺の全長に接続するようにして前記第１の部位と一体的に形成された第３の部位と、前記第３の部位と同材料で同形状に形成され、前記第１の部位の２つの長辺のうちで前記第２の部位が接続されている側とは反対側に存在している長辺の延長線上に位置している前記第３の部位の１つの辺の全長に、１つの辺の全長が接続するようにして前記第３の部位と一体的に形成された第４の部位とを備えてフレキシブルに構成された基材と；
薄く細長い導体を折り曲げることによってメアンダ状に形成され、包絡線で形成される形状が長方形になっており、前記包絡線で形成される長方形の幅方向が前記第１の部位の幅方向と一致し前記包絡線で形成される長方形の長さ方向が前記第１の部位の長さ方向と一致し、前記第１の部位の長さ方向では前記第１の部位の中間部に位置し、前記第１の部位の幅方向では前記第２の部位とは反対側に位置して、前記基材の厚さ方向の一方の面で、前記第１の部位に一体的に設けられた第１のメアンダ状アーム部と；
前記第１のメアンダ状アーム部と同様にしてメアンダ状に形成され、包絡線で形成される形状が長方形になっていると共に、この長方形の長さが前記第１のメアンダ状アーム部の包絡線で形成される長方形の長さよりも短くなっておりまた幅が前記第１のメアンダ状アーム部の包絡線で形成される長方形の幅と等しくなっており、前記包絡線で形成される長方形の幅方向が前記第２の部位の幅方向と一致し前記包絡線で形成される長方形の長さ方向が前記第２の部位の長さ方向と一致し、前記第２の部位の長さ方向では前記第２の部位の長さ方向の一方の側に位置し前記第２の部位の幅方向では前記第１の部位とは反対側に位置して、前記基材の厚さ方向の前記一方の面で、前記第２の部位に一体的に設けられた第２のメアンダ状アーム部と；
下底の長さが前記第１の部位と前記第２の部位とで形成される長方形の幅とほぼ等しく、上底の長さが前記下底の長さよりも短く、高さが、前記第１の部位の長さ方向の一方の端部と前記第１のメアンダ状アーム部の一端部との間の距離とほぼ等しい等脚台形状で薄く形成され、前記下底が前記各メアンダ状アーム部の一方の端部に接続されるようにして、前記基材の厚さ方向の前記一方の面で、前記第１の部位と前記第２の部位とに一体的に設けられた第１の導体部と；
幅が前記等脚台形の高さとほぼ等しい「Ｌ」字状で薄く形成され、長さ方向の一端部が、前記第１の導体部に接続され、長さ方向の他端部側の部位が、前記第４の部位の一端部側に存在し、幅方向の一方の端部が前記第３の部位の端部に沿うようにして、前記基材の厚さ方向の前記一方の面で、前記第３の部位と前記第４の部位とに一体的に設けられた第２の導体部と；
１辺の長さが前記第２の導体部の幅と等しい正方形状で薄く形成され、前記第１の部位の長さ方向で前記第２の導体部よりも前記第１の部位側で前記第２の導体部から離れて前記第４の部位に一体的に設けられた第３の導体部と；
幅が前記第２の導体部の幅よりも小さい「Ｌ」字状もしくは「コ」字状で薄く形成され、長さ方向の一端部が前記第１の導体部に接続され、長さ方向の他端部が前記第３の導体部に接続され、前記第２の導体部とほぼ平行になるようにして、前記第３の部位に一体的に設けられた第４の導体部と；
薄い矩形な導電性部材で構成された地板と；
中心導体が前記第２の導体部の長手方向の他端部側の部位に接続され、外部導体が前記第４の導体部および前記地板に接続されている同軸ケーブルと；
を有し、携帯電話の筐体の内側に設置された際には、前記基材の厚さ方向の他方の面が前記筐体に接触すると共に、前記各メアンダ状アーム部や各導体部が設けられた面側では、前記各部位の境界で前記基材がほぼ９０°の角度で山折されることを特徴とする携帯電話用２共振アンテナ。
【請求項８】
絶縁性の材料で薄い板状に形成された基材と；
前記基材の厚さ方向の一方の面で、前記基材に一体的に薄く設けられた第１のメアンダ状アーム部と；
一端部が前記第１のメアンダ状アーム部の一端部側の部位に接続するようにして、前記基材の厚さ方向の前記一方の面で、前記基材に一体的に薄く設けられた第２のメアンダ状アーム部と；
を有し、前記各メアンダ状アーム部と前記同軸ケーブルとが設けられた状態においても、前記基材はフレキシブルになっていることを特徴とする携帯電話用２共振アンテナの部品。
【請求項９】
絶縁性の材料からなり長方形状で薄い板状に形成された第１の部位と、前記第１の部位と同材料で同形状に形成され、２つの長辺のうちの一方の辺の全長が、前記第１の部位の２つの長辺のうちの一方の辺の全長に接続するようにして前記第１の部位と一体的に形成された第２の部位と、前記第１の部位と同じ材料でなり１辺の長さが前記第１の部位の短辺の長さと等しい正方形状でまた前記第１の部位と同じ厚さで薄い板状に形成され、１つの辺の全長が、前記第１の部位の２つの短辺のうちの一方の辺の全長に接続するようにして前記第１の部位と一体的に形成された第３の部位と、前記第３の部位と同材料で同形状に形成され、前記第１の部位の２つの長辺のうちで前記第２の部位が接続されている側とは反対側に存在している長辺の延長線上に位置している前記第３の部位の１つの辺の全長に、１つの辺の全長が接続するようにして前記第３の部位と一体的に形成された第４の部位とを備えてフレキシブルに構成された基材と；
薄く細長い導体を折り曲げることによってメアンダ状に形成され、包絡線で形成される形状が長方形になっており、前記包絡線で形成される長方形の幅方向が前記第１の部位の幅方向と一致し前記包絡線で形成される長方形の長さ方向が前記第１の部位の長さ方向と一致し、前記第１の部位の長さ方向では前記第１の部位の中間部に位置し、前記第１の部位の幅方向では前記第２の部位とは反対側に位置して、前記基材の厚さ方向の一方の面で、前記第１の部位に一体的に設けられた第１のメアンダ状アーム部と；
前記第１のメアンダ状アーム部と同様にしてメアンダ状に形成され、包絡線で形成される形状が長方形になっていると共に、この長方形の長さが前記第１のメアンダ状アーム部の包絡線で形成される長方形の長さよりも短くなっておりまた幅が前記第１のメアンダ状アーム部の包絡線で形成される長方形の幅と等しくなっており、前記包絡線で形成される長方形の幅方向が前記第２の部位の幅方向と一致し前記包絡線で形成される長方形の長さ方向が前記第２の部位の長さ方向と一致し、前記第２の部位の長さ方向では前記第２の部位の長さ方向の一方の側に位置し前記第２の部位の幅方向では前記第１の部位とは反対側に位置して、前記基材の厚さ方向の前記一方の面で、前記第２の部位に一体的に設けられた第２のメアンダ状アーム部と；
下底の長さが前記第１の部位と前記第２の部位とで形成される長方形の幅とほぼ等しく、上底の長さが前記下底の長さよりも短く、高さが、前記第１の部位の長さ方向の一方の端部と前記第１のメアンダ状アーム部の一端部との間の距離とほぼ等しい等脚台形状で薄く形成され、前記下底が前記各メアンダ状アーム部の一方の端部に接続されるようにして、前記基材の厚さ方向の前記一方の面で、前記第１の部位と前記第２の部位とに一体的に設けられた第１の導体部と；
幅が前記等脚台形の高さとほぼ等しい「Ｌ」字状で薄く形成され、長さ方向の一端部が、前記第１の導体部に接続され、長さ方向の他端部側の部位が、前記第４の部位の一端部側に存在し、幅方向の一方の端部が前記第３の部位の端部に沿うようにして、前記基材の厚さ方向の前記一方の面で、前記第３の部位と前記第４の部位とに一体的に設けられた第２の導体部と；
１辺の長さが前記第２の導体部の幅と等しい正方形状で薄く形成され、前記第１の部位の長さ方向で前記第２の導体部よりも前記第１の部位側で前記第２の導体部から離れて前記第４の部位に一体的に設けられた第３の導体部と；
幅が前記第２の導体部の幅よりも小さい「Ｌ」字状もしくは「コ」字状で薄く形成され、長さ方向の一端部が前記第１の導体部に接続され、長さ方向の他端部が前記第３の導体部に接続され、前記第２の導体部とほぼ平行になるようにして、前記第３の部位に一体的に設けられた第４の導体部と；
を有し、携帯電話の筐体の内側に設置された際には、前記基材の厚さ方向の他方の面が前記筐体に接触すると共に、前記各メアンダ状アーム部や各導体部が設けられた面側では、前記各部位の境界で前記基材がほぼ９０°の角度で山折されることを特徴とする携帯電話用２共振アンテナの部品。
【発明の詳細な説明】
【技術分野】
【０００１】
本発明は、アンテナおよびアンテナの部品に係り、たとえば携帯電話に用いられる２周波数共用アンテナおよびアンテナの部品に関する。
【背景技術】
【０００２】
パーソナルコミュニケーションシステムが搭載している通信機器の需要の高度化から、携帯電話の小型化に関して様々な研究がなされている。従来、携帯電話用のアンテナとして平面逆Ｆアンテナや、モノポールアンテナが採用されている。
【０００３】
なお、従来のアンテナに関する特許文献としてたとえば特許文献１、特許文献２、特許文献３を掲げることができる。
【特許文献１】特開２００１−２１７６３２号公報
【特許文献２】特開２００６−３１４０９９号公報
【特許文献３】特開２００３−７８３２３号公報
【発明の開示】
【発明が解決しようとする課題】
【０００４】
ところで、携帯電話等の機器内にアンテナを搭載する場合、アンテナは平面構造を持つことが望まれる。さらに、一般の携帯電話への搭載を考慮に入れた場合、ユーザに影響を及ぼさないようにする必要がある。
【０００５】
このような要求を満たすアンテナを実現するためには、４分の１波長のアンテナが有力である。しかしながら、ＰＩＦＡ（Ｐｌａｎａｒ  Ｉｎｖｅｒｔｅｄ−Ｆ  Ａｎｔｅｎａ；逆Ｆアンテナ）を使うと、アンテナを支持するための基板の重量増加やサイズの増加や価格の上昇が発生し、アンテナを普及する際の妨げになる。
【０００６】
また、モノポールアンテナは、薄型であるので携帯電話への搭載がしやすい面があるが、平面寸法が大きくなり、携帯電話等の機器内に搭載することが困難であるという問題がある。
【０００７】
本発明は、前記問題点に鑑みてなされたものであり、重量の増加やサイズの増加を押えたことによって、携帯電話等の機器への搭載が容易になるアンテナおよびアンテナ部品を提供することを目的とする。
【課題を解決するための手段】
【０００８】
請求項１に記載の発明は、グランド導体と、第１の導電性素子と、前記第１の導電性素子に接続されている第２の導電性素子と、前記グランド導体と前記第１の導電性素子とをお互いに接続している短絡用導体と、前記グランド導体と前記第１の導電性素子とに設けられた給電部とを有し、前記第１の導電性素子、前記第２の導電性素子の少なくともいずれかは、メアンダ状に形成されているアンテナである。
【０００９】
請求項２に記載の発明は、グランド導体と、第１の導電性素子と、前記第１の導電性素子に接続されている第２の導電性素子と、前記グランド導体と前記第１の導電性素子とをお互いに接続している短絡用導体と、前記グランド導体と前記第１の導電性素子とに設けられた給電部とを有し、機器に設置された場合、三次元的に配置されるように構成されているアンテナである。
【００１０】
請求項３に記載の発明は、グランド導体と、第１の導電性素子と、前記第１の導電性素子に接続されている第２の導電性素子と、前記グランド導体と前記第１の導電性素子とをお互いに接続している短絡用導体と、前記グランド導体と前記第１の導電性素子とに設けられた給電部とを有し、前記第１の導電性素子、前記第２の導電性素子の少なくともいずれかは、メアンダ状に形成されており、機器に設置された場合、三次元的に配置されるように構成されているアンテナである。
【００１１】
請求項４に記載の発明は、請求項１〜請求項３のいずれか１項に記載のアンテナにおいて、前記第１の導電性素子で、基本モードと高次モードとの制御を行なうと共に、前記第２の導電性素子で前記高次モードの調整を行なっている構成であるアンテナである。
【００１２】
請求項５に記載の発明は、請求項１〜請求項４のいずれか１項に記載のアンテナにおいて、前記短絡用導体は、前記給電部に接続されるケーブルの導体によって構成されているアンテナである。
【００１３】
請求項６に記載の発明は、絶縁性の材料で薄い板状に形成された基材と、前記基材の厚さ方向の一方の面で、前記基材に一体的に薄く設けられた第１のメアンダ状アーム部と、一端部が前記第１のメアンダ状アーム部の一端部側の部位に接続するようにして、前記基材の厚さ方向の前記一方の面で、前記基材に一体的に薄く設けられた第２のメアンダ状アーム部と、薄い導電性部材で構成された地板と、前記第１のメアンダ状アーム部の一端部側の部位に中心導体が接続しており、前記第１のメアンダ状アーム部の前記一端部側の部位であって前記中心導体が接続している部位とは離れた部位に外部導体が接続していると共に、前記外部導体が前記地板に接続している同軸ケーブルとを有し、前記各メアンダ状アーム部と前記同軸ケーブルとが設けられた状態においても、前記基材はフレキシブルになっている携帯電話用２共振アンテナである。
【００１４】
請求項７に記載の発明は、絶縁性の材料からなり長方形状で薄い板状に形成された第１の部位と、前記第１の部位と同材料で同形状に形成され、２つの長辺のうちの一方の辺の全長が、前記第１の部位の２つの長辺のうちの一方の辺の全長に接続するようにして前記第１の部位と一体的に形成された第２の部位と、前記第１の部位と同じ材料からなり１辺の長さが前記第１の部位の短辺の長さと等しい正方形状でまた前記第１の部位と同じ厚さで薄い板状に形成され、１つの辺の全長が、前記第１の部位の２つの短辺のうちの一方の辺の全長に接続するようにして前記第１の部位と一体的に形成された第３の部位と、前記第３の部位と同材料で同形状に形成され、前記第１の部位の２つの長辺のうちで前記第２の部位が接続されている側とは反対側に存在している長辺の延長線上に位置している前記第３の部位の１つの辺の全長に、１つの辺の全長が接続するようにして前記第３の部位と一体的に形成された第４の部位とを備えてフレキシブルに構成された基材と、薄く細長い導体を折り曲げることによってメアンダ状に形成され、包絡線で形成される形状が長方形になっており、前記包絡線で形成される長方形の幅方向が前記第１の部位の幅方向と一致し前記包絡線で形成される長方形の長さ方向が前記第１の部位の長さ方向と一致し、前記第１の部位の長さ方向では前記第１の部位の中間部に位置し、前記第１の部位の幅方向では前記第２の部位とは反対側に位置して、前記基材の厚さ方向の一方の面で、前記第１の部位に一体的に設けられた第１のメアンダ状アーム部と、前記第１のメアンダ状アーム部と同様にしてメアンダ状に形成され、包絡線で形成される形状が長方形になっていると共に、この長方形の長さが前記第１のメアンダ状アーム部の包絡線で形成される長方形の長さよりも短くなっておりまた幅が前記第１のメアンダ状アーム部の包絡線で形成される長方形の幅と等しくなっており、前記包絡線で形成される長方形の幅方向が前記第２の部位の幅方向と一致し前記包絡線で形成される長方形の長さ方向が前記第２の部位の長さ方向と一致し、前記第２の部位の長さ方向では前記第２の部位の長さ方向の一方の側に位置し前記第２の部位の幅方向では前記第１の部位とは反対側に位置して、前記基材の厚さ方向の前記一方の面で、前記第２の部位に一体的に設けられた第２のメアンダ状アーム部と、下底の長さが前記第１の部位と前記第２の部位とで形成される長方形の幅とほぼ等しく、上底の長さが前記下底の長さよりも短く、高さが、前記第１の部位の長さ方向の一方の端部と前記第１のメアンダ状アーム部の一端部との間の距離とほぼ等しい等脚台形状で薄く形成され、前記下底が前記各メアンダ状アーム部の一方の端部に接続されるようにして、前記基材の厚さ方向の前記一方の面で、前記第１の部位と前記第２の部位とに一体的に設けられた第１の導体部と、幅が前記等脚台形の高さとほぼ等しい「Ｌ」字状で薄く形成され、長さ方向の一端部が、前記第１の導体部に接続され、長さ方向の他端部側の部位が、前記第４の部位の一端部側に存在し、幅方向の一方の端部が前記第３の部位の端部に沿うようにして、前記基材の厚さ方向の前記一方の面で、前記第３の部位と前記第４の部位とに一体的に設けられた第２の導体部と、１辺の長さが前記第２の導体部の幅と等しい正方形状で薄く形成され、前記第１の部位の長さ方向で前記第２の導体部よりも前記第１の部位側で前記第２の導体部から離れて前記第４の部位に一体的に設けられた第３の導体部と、幅が前記第２の導体部の幅よりも小さい「Ｌ」字状もしくは「コ」字状で薄く形成され、長さ方向の一端部が前記第１の導体部に接続され、長さ方向の他端部が前記第３の導体部に接続され、前記第２の導体部とほぼ平行になるようにして、前記第３の部位に一体的に設けられた第４の導体部と、薄い矩形な導電性部材で構成された地板と、中心導体が前記第２の導体部の長手方向の他端部側の部位に接続され、外部導体が前記第４の導体部および前記地板に接続されている同軸ケーブルとを有し、携帯電話の筐体の内側に設置された際には、前記基材の厚さ方向の他方の面が前記筐体に接触すると共に、前記各メアンダ状アーム部や各導体部が設けられた面側では、前記各部位の境界で前記基材がほぼ９０°の角度で山折される携帯電話用２共振アンテナである。
【００１５】
請求項８に記載の発明は、絶縁性の材料で薄い板状に形成された基材と、前記基材の厚さ方向の一方の面で、前記基材に一体的に薄く設けられた第１のメアンダ状アーム部と、一端部が前記第１のメアンダ状アーム部の一端部側の部位に接続するようにして、前記基材の厚さ方向の前記一方の面で、前記基材に一体的に薄く設けられた第２のメアンダ状アーム部とを有し、前記各メアンダ状アーム部と前記同軸ケーブルとが設けられた状態においても、前記基材はフレキシブルになっている携帯電話用２共振アンテナの部品である。
【００１６】
請求項９に記載の発明は、絶縁性の材料からなり長方形状で薄い板状に形成された第１の部位と、前記第１の部位と同材料で同形状に形成され、２つの長辺のうちの一方の辺の全長が、前記第１の部位の２つの長辺のうちの一方の辺の全長に接続するようにして前記第１の部位と一体的に形成された第２の部位と、前記第１の部位と同じ材料でなり１辺の長さが前記第１の部位の短辺の長さと等しい正方形状でまた前記第１の部位と同じ厚さで薄い板状に形成され、１つの辺の全長が、前記第１の部位の２つの短辺のうちの一方の辺の全長に接続するようにして前記第１の部位と一体的に形成された第３の部位と、前記第３の部位と同材料で同形状に形成され、前記第１の部位の２つの長辺のうちで前記第２の部位が接続されている側とは反対側に存在している長辺の延長線上に位置している前記第３の部位の１つの辺の全長に、１つの辺の全長が接続するようにして前記第３の部位と一体的に形成された第４の部位とを備えてフレキシブルに構成された基材と、薄く細長い導体を折り曲げることによってメアンダ状に形成され、包絡線で形成される形状が長方形になっており、前記包絡線で形成される長方形の幅方向が前記第１の部位の幅方向と一致し前記包絡線で形成される長方形の長さ方向が前記第１の部位の長さ方向と一致し、前記第１の部位の長さ方向では前記第１の部位の中間部に位置し、前記第１の部位の幅方向では前記第２の部位とは反対側に位置して、前記基材の厚さ方向の一方の面で、前記第１の部位に一体的に設けられた第１のメアンダ状アーム部と、前記第１のメアンダ状アーム部と同様にしてメアンダ状に形成され、包絡線で形成される形状が長方形になっていると共に、この長方形の長さが前記第１のメアンダ状アーム部の包絡線で形成される長方形の長さよりも短くなっておりまた幅が前記第１のメアンダ状アーム部の包絡線で形成される長方形の幅と等しくなっており、前記包絡線で形成される長方形の幅方向が前記第２の部位の幅方向と一致し前記包絡線で形成される長方形の長さ方向が前記第２の部位の長さ方向と一致し、前記第２の部位の長さ方向では前記第２の部位の長さ方向の一方の側に位置し前記第２の部位の幅方向では前記第１の部位とは反対側に位置して、前記基材の厚さ方向の前記一方の面で、前記第２の部位に一体的に設けられた第２のメアンダ状アーム部と、下底の長さが前記第１の部位と前記第２の部位とで形成される長方形の幅とほぼ等しく、上底の長さが前記下底の長さよりも短く、高さが、前記第１の部位の長さ方向の一方の端部と前記第１のメアンダ状アーム部の一端部との間の距離とほぼ等しい等脚台形状で薄く形成され、前記下底が前記各メアンダ状アーム部の一方の端部に接続されるようにして、前記基材の厚さ方向の前記一方の面で、前記第１の部位と前記第２の部位とに一体的に設けられた第１の導体部と、幅が前記等脚台形の高さとほぼ等しい「Ｌ」字状で薄く形成され、長さ方向の一端部が、前記第１の導体部に接続され、長さ方向の他端部側の部位が、前記第４の部位の一端部側に存在し、幅方向の一方の端部が前記第３の部位の端部に沿うようにして、前記基材の厚さ方向の前記一方の面で、前記第３の部位と前記第４の部位とに一体的に設けられた第２の導体部と、１辺の長さが前記第２の導体部の幅と等しい正方形状で薄く形成され、前記第１の部位の長さ方向で前記第２の導体部よりも前記第１の部位側で前記第２の導体部から離れて前記第４の部位に一体的に設けられた第３の導体部と、幅が前記第２の導体部の幅よりも小さい「Ｌ」字状もしくは「コ」字状で薄く形成され、長さ方向の一端部が前記第１の導体部に接続され、長さ方向の他端部が前記第３の導体部に接続され、前記第２の導体部とほぼ平行になるようにして、前記第３の部位に一体的に設けられた第４の導体部とを有し、携帯電話の筐体の内側に設置された際には、前記基材の厚さ方向の他方の面が前記筐体に接触すると共に、前記各メアンダ状アーム部や各導体部が設けられた面側では、前記各部位の境界で前記基材がほぼ９０°の角度で山折される携帯電話用２共振アンテナの部品である。
【発明の効果】
【００１７】
本発明によれば、重量の増加やサイズの増加を押えたことによって、携帯電話等の機器への搭載が容易になるという効果を奏する。
【発明を実施するための最良の形態】
【００１８】
図１は、本発明の実施形態に係るアンテナ１の概略構成を示す図である。
【００１９】
アンテナ１は、たとえば、携帯電話用２共振モノポールアンテナとして使用されるものである。すなわち、２種類の周波数帯域（ＧＭＳ（９００ＭＨｚ帯）、ＤＣＳ（１８００ＭＨｚ帯））での電波の送受信が可能なアンテナである。また、携帯電話の筐体内部に設置されて使用であるものである。
【００２０】
アンテナ１は、たとえば薄い矩形な金属板で構成されたグランド導体（地板）３と、絶縁性の材料からなる薄い板状の基材（図１では図示せず）の厚さ方向の一方の面に細長く薄く設けられた第１の導電性素子５と、前記基材の厚さ方向の前記一方の面に細長く薄く設けられ第１の導電性素子５と電気的に接続している第２の導電性素子７と、グランド導体３と第１の導電性素子５とをお互いに電気的に接続（短絡）している短絡用導体と（短絡板）９とを備えて構成されている。
【００２１】
グランド導体３と第１の導電性素子５とには、アンテナ１に高周波の電流を供給するための給電部１１Ａ、１１Ｂが設けられている。より詳しくは、各給電部１１Ａ、１１Ｂのうちで第１の導電性素子５に設けられている給電部１１Ａには、ケーブル（図１では図示せず）の一方の導体（たとえば同軸ケーブルの中心導体）が電気的に接続され、各給電部１１Ａ、１１Ｂのうちでグランド導体３に設けられている給電部１１Ｂには、ケーブルの他方の導体（たとえば同軸ケーブルの外部導体）が電気的に接続され、前記ケーブルを介してアンテナ１に給電されるようになっている。
【００２２】
また、第１の導電性素子５と第２の導電性素子７とは、それぞれが、メアンダ状に形成されており（図１では、メアンダ形状は非表示）、さらに、機器（たとえば携帯電話の筐体の内側）に設置された場合、アンテナ１は、三次元的に配置されるように構成されている（図２、図３、図４、図６、図７参照）。
【００２３】
なお、第１の導電性素子５と第２の導電性素子７との両方が、必ずしもメアンダ状に形成されている必要はなく、前記第１の導電性素子５、前記第２の導電性素子７の少なくともいずれかが、メアンダ状に形成されていてもよい。さらには、第１の導電性素子５や第２の導電性素子７の少なくとも一部が、メアンダ状に形成されていてもよい。
【００２４】
また、アンテナ１では、第１の導電性素子５で、電波の基本モードと高次モードとの制御を行なうと共に、第２の導電性素子７で前記高次モードの調整を行なっている構成である。
【００２５】
すなわち、第２の導電性素子７が設けられていない状態では、第１の導電性素子５によって、第１の所定の周波数帯域（基本モードの周波数帯域；たとえば９００ＭＨｚの帯域）の電波と、第２の所定の周波数帯域（高次モードの周波数帯域；たとえば、２７００ＭＨｚの帯域）の電波とが発射される。
【００２６】
しかし、第２の導電性素子７を設けたことによって、前記第２の所定の周波数帯域（たとえば、２７００ＭＨｚの帯域）の電波の周波数が調整され、第２の所定の周波数帯域の電波よりも周波数が低い電波（たとえば、１８００ＭＨｚ帯域の電波）と、前記第１の所定の周波数帯域（たとえば９００ＭＨｚの帯域とが発射されるようになっている。
【００２７】
また、詳しくは、図４や図５を用いて後述するが、アンテナ１では、短絡用導体９が、給電部１１Ａ、１１Ｂに電気的に接続されるケーブル（図１では図示せず）の導体によって構成されている。
【００２８】
すなわち、アンテナ１のグランド導体３に設けられている給電部１１Ｂには、同軸ケーブルの外部導体が電気的に接続されているが、前記同軸ケーブルの外部導体は、第１の導電性素子５にも電気的に接続されており、前記外部導体によって、前記短絡用導体が構成されている。なお、アンテナ１の第１の導電性素子５に設けられている給電部１１Ａには、前記同軸ケーブル中心導体が電気的に接続されている。
【００２９】
ここで、アンテナ１についてより詳しく説明する。
【００３０】
図２は、アンテナ１の概略構成を示す斜視図であり、図３は、アンテナ１の概略構成を示す斜視図であって、図２とは異なる方向からアンテナ１を眺めた図である。図４は、アンテナ１の概略構成を示す斜視図であって、図３と同じ方向からアンテナ１を眺めた図である。図５は、図４におけるＶ矢視図である。
【００３１】
図６、図７は、アンテナ１を構成する基材１３や各導電性素子５、７等の概略構成を示す展開図であり、図８は、図２、図６、図７に示されている各寸法（パラメータ）の値を示す図（表）である。
【００３２】
アンテナ１は、基材１３と、第１のメアンダ状アーム部１５と、第２のメアンダ状アーム部１７と、同軸ケーブル１９と、薄い矩形な板状の導電性部材（たとえば金属板）で構成された地板２１とを備えて構成されている。
【００３３】
基材１３は、絶縁性の材料で薄い板状に形成されている。基材１３は、たとえば、厚さが５０μｍ程度のポリイミド（比誘電率３．５程度）で構成されている。また、基材１３の厚さ方向に一方の面には、各メアンダ状アーム部１５、１７等が薄く一体的に設けられている。各メアンダ状アーム部１５、１７等（後述する各導体部３１、３３、３５、３７を含む）は、たとえば、薄い銅箔で構成されており、この厚さは、銅の表皮効果を良好なものにするために、１０μｍ〜５０μｍ程度の厚さになっている。なお、基材１３と各メアンダ状アーム部１５、１７等によって、フレキシブルプリント基板（ＦＰＣ）が形成されていることになる。
【００３４】
また、図６や図７の紙面に直角な方向が、基材１３や各メアンダ状アーム部１５、１７等の厚さ方向になっており、図２に示すように、基材１３（各メアンダ状アーム部１５、１７等を含む）が携帯電話の筐体に立体的に設置された状態では、基材１３の大きさは、５ｍｍ×５ｍｍ×４０ｍｍの直方体状になる。より精確には、前記直方体の一方の底面とお互いが隣接している２つの側面とを覆う形態になる。
【００３５】
第２のメアンダ状アーム部１７は、この一端部が第１のメアンダ状アーム部１５の一端部側の部位に、間接的もしくは直接的にしかも電気的に接続するようにして設けられている。
【００３６】
同軸ケーブル１９の中心導体は、第１のメアンダ状アーム部１５の一端部側の部位に、間接的もしくは直接的にしかも電気的に接続しており、同軸ケーブル１９の外部導体は、第１のメアンダ状アーム部１５の前記一端部側の部位であって前記中心導体が接続している部位とは離れた部位に、間接的もしくは直接的にしかも電気的に接続している。さらに、同軸ケーブル１９の外部導体が地板２１に電気的に接続している。
【００３７】
なお、すでに理解されるように、各メアンダ状アーム部１５、１７等と同軸ケーブル１９とが設けられた状態においても、基材１３はフレキシブルで折り曲げ容易になっている。
【００３８】
アンテナ１について、例を掲げて、さらに詳しく説明する。
【００３９】
アンテナ１は、基材１３と第１のメアンダ状アーム部１５と第２のメアンダ状アーム部１７と第１の導体部３１と第２の導体部３３と第３の導体部３５と第４の導体部３７とを備えて構成されている。基材１３は、第１の部位２３と第２の部位２５と第３の部位２７と第４の部位２９とを備えて構成されている。
【００４０】
第１の部位２３は、前述したようにポリイミドで、また、図６の「Ｗｘ」寸法「Ｗａ」寸法で示すように、長方形状で薄い板状に形成されている。
【００４１】
第２の部位２５も、第１の部位２３と同材料で同形状に形成されている。第２の部位２５の２つの長編（長さがＷｘの長辺）のうちの一方の長編（図７では上側の長辺）の全長が、第１の部位２３の２つの長辺（長さがＷｘの長辺）のうちの一方の辺（図７では下側の長辺）の全長に接続して、第２の部位２５が第１の部位２３と一体的に形成されている。
【００４２】
なお、既に理解されるように、第１の部位２３と第２の部位２５とで形成されたものも、薄い板状の長方形状になっている。ただし、この長方形（第１の部位２３と第２の部位２５とで形成された長方形）の長さは、第１の部位２３や第２の部位２５の長辺の長さＷｘと同じであり、長方形（第１の部位２３と第２の部位２５とで形成された長方形）の幅は、第１の部位２３（第２の部位２５）の短辺の長さＷａの２倍の幅になっている。さらに、長方形（第１の部位２３と第２の部位２５とで形成された長方形）の長さＷｘは、長方形（第１の部位と第２の部位とで形成された長方形）の幅（Ｗａの２倍の寸法）よりも大きくなっている。
【００４３】
第３の部位２７も、第１の部位２３と同材料で同じ厚さに形成されている。第３の部位２７は正方形状で薄い板状に形成されている。前記正方形の１辺の長さは第１の部位２３の短辺の長さＷａと等しくなっている。そして、第３の部位２７の１つの辺（図７では右側の辺）の全長が、第１の部位２３の２つの短辺のうちの一方の辺（図７では左側の辺）の全長に接続して、第３の部位２７が第１の部位２３と一体的に形成されている。
【００４４】
第４の部位２９は、第３の部位２７と同材料で同形状に形成されている。そして、第４の部位２９の１つの辺（図７では下側の辺）の全長が、第３の部位の１つの辺（図７では上側の辺）の全長に接続して、第４の部位２９が第３の部位２７と一体的に形成されている。なお、第３の部位の前記１つの辺（図７では上側の辺）は、第１の部位２３の２つの長辺のうちで第２の部位２５が接続されている側とは反対側に存在している長辺（図７では上側の辺）の延長線上に位置している辺である。
【００４５】
第１のメアンダ状アーム部１５は、薄く細長い導体を折り曲げることによってメアンダ状に形成されており、前記メアンダの包絡線で形成される形状が長方形になっている。この長方形の長さは、第１の部位２３の長さよりも僅かに短く幅は第１の部位２３の幅の半分よりも僅かに大きくなっている。
【００４６】
そして、前記包絡線で形成される長方形の幅方向が第１の部位２３の幅方向（図７では上下方向）と一致し前記包絡線で形成される長方形の長さ方向が第１の部位２３の長さ方向（図７では左右方向）と一致して、また、第１の部位２３の長さ方向（前記包絡線で形成される長方形の長さ方向）では、前記包絡線で形成される長方形が第１の部位２３の中間部に位置して、また、第１の部位２３の幅方向（前記包絡線で形成される長方形の幅方向）では、前記包絡線で形成される長方形が第２の部位２５とは反対側に位置して、第１のメアンダ状アーム部１５が、基材１３の厚さ方向の一方の面で、第１の部位２３に一体的に設けられている。
【００４７】
なお、第１のメアンダ状アーム部１５では、前記包絡線で形成される長方形の長さ方向に延びている部位の長さが、前記包絡線で形成される長方形の幅方向に延びている部位の長さよりも短くなっている。
【００４８】
第２のメアンダ状アーム部１７は、第１のメアンダ状アーム部１５と同様にしてメアンダ状に形成されており、包絡線で形成される形状が長方形になっており、この長方形の長さが第１のメアンダ状アーム部１５の包絡線で形成される長方形の長さよりも短くなっている。また、前記包絡線で形成される長方形の幅が第１のメアンダ状アーム部１５の包絡線で形成される長方形の幅と等しくなっている。
【００４９】
そして、前記包絡線で形成される長方形の幅方向が第２の部位２５の幅方向と一致し前記包絡線で形成される長方形の長さ方向が前記第２の部位２５の長さ方向と一致して、また、第２の部位２５の長さ方向（前記包絡線で形成される長方形の長さ方向）では第２の部位２５の長さ方向の一方の側（図７では左側）に位置している。より詳しくは、第２のメアンダ状アーム部１７の包絡線で形成される長方形の長手方向の一端部（図７では左端部）が、第１の部位２３や第２の部位２５の長さ方向において、第１のメアンダ状アーム部１５の包絡線で形成される長方形の長手方向の一端部（図７では左端部）と同じところに位置している。
【００５０】
さらに、第２のメアンダ状アーム部１７の包絡線で形成される長方形は、第２の部位２５の幅方向（前記包絡線で形成される長方形の幅方向）では、第１の部位２３とは反対側に位置して、基材１３の厚さ方向の前記一方の面で、第２の部位２５に一体的に設けられている。つまり、概略的（外形的）には、第２のメアンダ状アーム部１７は、第１のメアンダ状アーム部１５から離れ、第１のメアンダ状アーム部１５と平行に延びて設けられていることになる。
【００５１】
第１の導体部３１は、薄い等脚台形状に形成されている。この等脚台形の下底の長さは、第１の部位２３と第２の部位２５とで形成される長方形の幅（第１の部位２３の幅Ｗａのほぼ２倍の幅）とほぼ等しくなており、前記等脚台形の上底の長さは、前記下底の長さよりも短くなっている。また、前記等脚台形の高さ（図７の左右方向の寸法）は、第１の部位２３（第２の部位２５）の長さ方向の一端部（図７では左端部）と第１のメアンダ状アーム部１５（第２のメアンダ状アーム部１７）の包絡線で形成される長方形の長手方向の一端部（図７では左端部）との間の距離とほぼ等しくなっている。なお、前記等脚台形の高さ寸法は、第１のメアンダ状アーム部１５の包絡線で形成される長方形の幅寸法よりも小さくなっている。
【００５２】
そして、前記下底が各メアンダ状アーム部１５、１７一方の端部（図７では左端部）に接続されるようにして、第１の導体部３１は、基材１３の厚さ方向の前記一方の面で、第１の部位２３と第２の部位２５とに一体的に設けられている。
【００５３】
第２の導体部３３は、この幅が前記等脚台形の高さとほぼ等しい「Ｌ」字状で薄く形成されている。
【００５４】
そして、第２の導体部３３の長さ方向の一端部が、第１の導体部３１に接続されるようにして、また、第２の導体部３３の長さ方向の他端部側の部位が、第４の部位２９の一端部側（第３の部位２７側であって第１の部位２３とは反対側に存在している一端部側）に存在するようにして、また、第２の導体部３３の幅方向の一方の端部が第３の部位２７の端部（第１の部位２３や第４の部位２９には接していない２つの端部）に沿うようにして、基材１３の厚さ方向の前記一方の面で、第３の部位２７と第４の部位２９とに一体的に設けられている。なお、第２の導体部３３の幅方向の前記一方の端部は、第３の部位２７の前記端部に接するかもしくは近傍に存在するようにして延びている。
【００５５】
第３の導体部３５は、１辺の長さが第２の導体部３３の幅と等しい正方形状で薄く形成されている。
【００５６】
そして、第３の導体部３５は、第１の部位２３の長さ方向においては、第２の導体部３３よりも第１の部位２３側に位置し、第２の導体部３３から離れて、第４の部位２９に一体的に設けられている。
【００５７】
第４の導体部３７は、この幅が第２の導体部３３の幅よりも小さい「Ｌ」字状もしくは「コ」字状で薄く形成されている。そして、第４の導体部３７の長さ方向の一端部が第１の導体部３１に接続されるようにして、また、第４の導体部３７の長さ方向の他端部が第３の導体部３５に接続されるようにして、第２の導体部３３から僅かに離れ第２の導体部３３とほぼ平行になるようにして、第３の部位２７に一体的に設けられている。
【００５８】
同軸ケーブル１９は、この中心導体が第２の導体部３３の長手方向の他端部側の部位（図７では、第２の導体部３３の左上の部位）に接続されている。また、同軸ケーブル１９の外部導体は、第４の導体部３７および地板２１に接続されている。
【００５９】
図４や図５を用いてより詳しく説明すると、地板２１が存在している同軸ケーブル１９の部位においては、同軸ケーブル１９の外皮の一部が除去されており、同軸ケーブル１９の外部導体が露出しており、この露出している外部導体が、地板２１に電気的に接続されている。
【００６０】
上述したように構成されていることによって、アンテナ１が携帯電話の筐体の内側にたとえば粘着材や接着剤を用いて設置されると、基材１３の厚さ方向の他方の面（各メアンダ状アーム部１５、１７や各導体部３１、３３、３５、３７が設けられていない側の面）が前記筐体に接触すると共に、各メアンダ状アーム部１５、１７や各導体部３１、３３、３５、３７が設けられた側の面側では、各部位２３、２５、２７、２９の境界Ｌ１、Ｌ３、Ｌ５で基材１３がほぼ９０°の角度で山折されるようになっている。
【００６１】
なお、アンテナ１では、たとえば、第１のメアンダ状アーム部１５と第１の導体部３１の一部と第２の導体部３３とが、第１の導電性素子５に対応しており、第２のメアンダ状アーム部１７と第１の導体部３１の残りの一部とが、第２の導電性素子７に対応しており、第３の導体部３５と第４の導体部３７と同軸ケーブル１９の外部導体の一部とが、短絡用導体９に対応しており、第２の導体部３３の先端部（長手方向において第１の導体部３１に接続している端部とは反対側の端部）側の部位と、第３の導体部３５とが、給電部になっている。
【００６２】
次に、アンテナ（図２〜図８で示されたアンテナ）１の試験結果について説明する。
【００６３】
図９は、アンテナ１のＳパラメータ（Ｓｃａｔｔｅｒｉｎｇ  Ｐａｒａｍｅｔｅｒ）と、周波数との関係を示す図である。
【００６４】
図９から理解されるように、９００ＭＨｚ帯（中心が９２５ＭＨｚで幅が７０ＭＨｚの帯域）と、１８００ＭＨｚ帯（中心が１７９５ＭＨｚで幅が１６４ＭＨｚの帯域）とで、Ｓパラメータの値が−７．５ｄＢ以下になっており、アンテナ１が、９００ＭＨｚ帯と１８００ＭＨｚ帯とで２共振する。
【００６５】
図１０は、アンテナ１の整合状態を示す図である。
【００６６】
図１０から理解できるように、アンテナ１では、９００ＭＨｚ帯の抵抗Ｒｉｎが３３．５６Ωになっており、１８００ＭＨｚ帯の抵抗Ｒｉｎが５６．４４Ωになっており、９００ＭＨｚ帯のリアクタンスＸｉｎが−９．７６Ωになっており、１８００ＭＨｚ帯のリアクタンスＸｉｎが１．８５になっており、良好な整合状態を得ている。
【００６７】
図１１〜図１６は、アンテナ１の放射特性を示す図である。
【００６８】
なお、以下、図２に示すｘ軸とｙ軸とで画定される平面であってアンテナ１のほぼ中心を通る平面をｘｙ平面とし、図２に示すｙ軸とｚ軸とで画定される平面であってアンテナ１のほぼ中心を通る平面をｙｚ平面とし、図２に示すｚ軸とｘ軸とで画定される平面であってアンテナ１のほぼ中心を通る平面をｚｘ平面とする。また、図１１〜図１６における角度θや角度φは、図２に示すものである。さらに、図１１〜図１６におけるＥφは交差偏波の特性を示し、Ｅθは主偏波の特性を示す。
【００６９】
図１１は、アンテナ１の９００ＭＨｚ帯でのｘｙ平面における放射特性を示すものであり、図１２は、アンテナ１の１８００ＭＨｚ帯でのｘｙ平面における放射特性を示すものである。
【００７０】
図１１や図１２から理解されるように、アンテナ１は、９００ＭＨｚ帯で、０．１１ｄＢｉのピーク利得を得ることができ、１８００ＭＨｚ帯で、２．６４ｄＢｉのピーク利得を得ることがで、モノポールアンテナに近い特性を得ることができる。
【００７１】
図１３は、アンテナ１の９２４ＭＨｚでのｚｘ平面における放射特性を示すものであり、図１４は、アンテナ１の９２４ＭＨｚでのｙｚ平面における放射特性を示すものであり、図１５は、アンテナ１の１８０４ＭＨｚでのｚｘ平面における放射特性を示すものであり、図１６は、アンテナ１の１８０４ＭＨｚでのｙｚ平面における放射特性を示すものである。
【００７２】
図１３〜図１６より理解されるように、アンテナ１によって、モノポールアンテナに近い特性を得ることができる。
【００７３】
アンテナ１によれば、第１の導電性素子５や第２の導電性素子７がメアンダ状に形成されているので、細長い長方形状に形成されている従来のモノポールアンテナ場合に比べて、第１の導電性素子５や第２の導電性素子７の大きさ（外形寸法）を小さくすることができ、アンテナ１の小型化をはかることができ、携帯電話等の機器内の小さな設置スペースへの搭載が容易になる。
【００７４】
また、アンテナ１によれば、アンテナ１が携帯電話等の機器に設置されたときに三次元的に配置されるように構成されているので、設置時におけるアンテナ１の外形寸法を小さくすることができ、携帯電話等の機器内の小さな設置スペースへの搭載が容易になる。
【００７５】
また、アンテナ１は、薄い基材１３に薄いアーム部１５、１７や各導体部３１、３３、３５、３７を設けた構成であるので、換言すれば、薄い基板に、ＩＴＯ（Ｉｎｄｉｕｍ  Ｔｉｎ  Ｏｘｉｄｅ）薄膜でアーム部や導体部を形成し設けた構成であるので、アンテナ１の重量増加を抑制することができ、携帯電話等の機器への搭載した際における重量の増加を抑制することができる。
【００７６】
また、アンテナ１によれば、第１の導電性素子５で、基本モードと高次モードとの制御を行なうと共に、第２の導電性素子７で前記高次モードの調整を行なっているので、基本モードと高次モードとの調整を行うことが容易になっている。
【００７７】
さらに、アンテナ１によれば、短絡用導体が、給電部に接続されているケーブルの導体によって構成されているので、グランド導体（地板２１）と基材１３との間の相対的な位置関係がフレキシブルになり、携帯電話の筐体にアンテナ１を設置する際、地板２１と基材１３との間の相対的な位置関係が若干ずれていてもよく、アンテナ１の携帯電話の筐体への設置が容易になっている。
【００７８】
なお、アンテナ１は、ＧＳＭ９００の周波数をｆＧＳＭ９００とし、ＤＣＳ１８００の周波数をｆＤＣＳ１８００とした場合、８９０ＭＨｚ≧ｆＧＳＭ９００≧９６０ＭＨｚおよび１７１０ＭＨｚ≧ｆＤＣＳ１８００≧１８８０ＭＨｚの範囲で、ＶＳＷＲ（Ｖｏｌｔａｇｅ  Ｓｔａｎｄｉｎｇ  Ｗａｖｅ  Ｒａｔｉｏ）が２．５以下（Ｓパラメータが−７．５ｄＢ以下）になっているアンテナの例である。
【００７９】
また、アンテナ１において、図２や図８に示す寸法Ｌｇの値、図２や図８に示す寸法Ｗｇの値、図２や図８に示す寸法ｄの値、図６や図８に示す寸法Ｗｆの値、図６や図８に示すＷａの値を、２０ｍｍ≦Ｌｇ≦１５０ｍｍ、１０ｍｍ≦Ｗｇ≦６０ｍｍ、０ｍｍ≦ｄ≦２０ｍｍ、１ｍｍ≦Ｗａ≦２０ｍｍの範囲で適宜変更し前述した適宜の周波数特性と放射特性とを得るようにしてもよい。
【００８０】
また、アンテナ１において、図６や図８に示す寸法Ｌｌの値、図６や図８に示す寸法Ｗｌの値、図６や図８に示す寸法Ｌｓの値、図６や図８に示す寸法Ｗｓの値を、１０ｍｍ≦Ｌｌ≦６０ｍｍ、１ｍｍ≦Ｗｌ≦１０ｍｍ、１０ｍｍ≦Ｌｓ≦６０ｍｍ、１ｍｍ≦Ｗｓ≦１０ｍｍの範囲で適宜変更し前述した適宜の周波数特性と放射特性とを得るようにしてもよい。
【００８１】
さらに、アンテナ１において、図６や図８に示す寸法Ｌｍの値、図６や図８に示す寸法Ｗａの値、図６や図８に示す寸法Ｗｍの値を、０ｍｍ≦Ｌｍ≦Ｗａ、０ｍｍ≦Ｗｍ≦０．５ｍｍの範囲で適宜変更し前述した適宜の周波数特性と放射特性とを得るようにしてもよい。
【図面の簡単な説明】
【００８２】
【図１】本発明の実施形態に係るアンテナの概略構成を示す図である。
【図２】アンテナの概略構成を示す斜視図である。
【図３】アンテナの概略構成を示す斜視図であって、図２とは異なる方向からアンテナを眺めた図である。
【図４】アンテナの概略構成を示す斜視図であって、図３と同じ方向からアンテナを眺めた図である。
【図５】図４におけるＶ矢視図である。
【図６】アンテナを構成する基材や各導電性素子等の概略構成を示す展開図である。
【図７】アンテナを構成する基材や各導電性素子等の概略構成を示す展開図である。
【図８】図２、図６、図７に示されている各寸法の値を示す図である。
【図９】アンテナのＳパラメータ（Ｓｃａｔｔｅｒｉｎｇ  Ｐａｒａｍｅｔｅｒ）と、周波数との関係を示す図である。
【図１０】アンテナの整合状態を示す図である。
【図１１】アンテナの放射特性を示す図である。
【図１２】アンテナの放射特性を示す図である。
【図１３】アンテナの放射特性を示す図である。
【図１４】アンテナの放射特性を示す図である。
【図１５】アンテナの放射特性を示す図である。
【図１６】アンテナの放射特性を示す図である。
【符号の説明】
【００８３】
１  アンテナ
３  グランド導体
５  第１の導電性素子
７  第２の導電性素子
９  短絡用導体
１１Ａ、１１Ｂ  給電部
１３  基材
１５  第１のメアンダ状アーム部
１７  第２のメアンダ状アーム部
１９  同軸ケーブル
２１  地板
２３  第１の部位
２５  第２の部位
２７  第３の部位
２９  第４の部位
３１  第１の導体部
３３  第２の導体部
３５  第３の導体部
３７  第４の導体部
Ｌ１、Ｌ３、Ｌ５  境界
【図１】
2008187447.tif 000003
【図２】
2008187447.tif 000004
【図３】
2008187447.tif 000005
【図４】
2008187447.tif 000006
【図５】
2008187447.tif 000007
【図６】
2008187447.tif 000008
【図７】
2008187447.tif 000009
【図８】
2008187447.tif 000010
【図９】
2008187447.tif 000011
【図１０】
2008187447.tif 000012
【図１１】
2008187447.tif 000013
【図１２】
2008187447.tif 000014
【図１３】
2008187447.tif 000015
【図１４】
2008187447.tif 000016
【図１５】
2008187447.tif 000017
【図１６】
2008187447.tif 000018